(57)【要約】【課題】バンク部間の谷間の底部に溜まった水を排出することができると共に優れた強度を有するＶ型エンジンのシリンダブロックを提供することを課題とする。【解決手段】２つのバンク部の間に形成された谷間の底部に水が溜まると、この水は排水路６に沿ってブロック後端壁部７の水抜き孔８へ導かれ、この水抜き孔８を介してシリンダブロック後方へ排出される。ここで、ブロック後端壁部７は、いずれの主軸受け壁１３の中心線からも離間した位置に形成されているため、主軸受け壁１３に加わるエンジン爆発力に起因した応力が水抜き孔８に作用することが防止され、これによりシリンダブロックの強度が向上する。【選択図】図４
2006275006.tif 000002
【特許請求の範囲】
【請求項１】
クランク軸に沿って直列に配置された複数のシリンダを有する２つのバンク部が互いにほぼＶ字状に結合するように形成されたＶ型エンジンのシリンダブロックにおいて、
２つのバンク部の端部にこれら２つのバンク部の間に形成された谷間を閉じるように設けられると共に、クランク軸を支持する主軸受け壁の中心線から離間した位置に配置されるブロック端壁部を備え、
前記ブロック端壁部に、２つのバンク部間の谷間の底部に溜まる水を外部に排出するための水抜き孔が形成されていることを特徴とするＶ型エンジンのシリンダブロック。
【請求項２】
前記ブロック端壁部は、シリンダヘッド固定用のヘッドボルトボスの中心線からも離間した位置に配置されている請求項１に記載のＶ型エンジンのシリンダブロック。
【請求項３】
前記ヘッドボルトボスを補強するための補強用リブが、２つのバンク部間の谷間の底部を前記水抜き孔へと流れる水を阻害しないように配置されている請求項１または２に記載のＶ型エンジンのシリンダブロック。
【発明の詳細な説明】
【技術分野】
【０００１】
この発明は、Ｖ型エンジンのシリンダブロックに係り、特にクランク軸に沿って直列に配置された複数のシリンダを有する２つのバンク部が互いにほぼＶ字状に結合するように形成されたシリンダブロックに関する。
【背景技術】
【０００２】
Ｖ型エンジンのシリンダブロックは、一般に、クランク軸の軸線方向に直列に配置された複数のシリンダを有する２つのバンク部が互いにほぼＶ字状に結合された構造を有しており、このようなシリンダブロックでは、２つのバンク部間に形成された谷間の底部に降雨や洗車等の際に水が溜まることがある。
そこで、例えば、特許文献１に開示されているＶ型エンジンのシリンダブロックでは、その後端部にバンク部間の谷間の底部に連通する水抜き孔を形成し、この谷間に溜まった水を水抜き孔を介して排出するように構成されている。
【０００３】
【特許文献１】実開昭６０−６１４５８号公報
【発明の開示】
【発明が解決しようとする課題】
【０００４】
しかしながら、特許文献１のシリンダブロックでは、水抜き孔が形成された後端部とクランク軸を支持する主軸受け壁とがほぼ同一面内に位置し、そのため、主軸受け壁に加わるエンジン爆発力等に起因した応力が水抜き孔に集中することによりシリンダブロックの強度が低下するおそれがある。
この発明はこのような問題点を解消するためになされたもので、バンク部間の谷間の底部に溜まった水を排出することができると共に優れた強度を有するＶ型エンジンのシリンダブロックを提供することを目的とする。
【課題を解決するための手段】
【０００５】
この発明に係るＶ型エンジンのシリンダブロックは、クランク軸に沿って直列に配置された複数のシリンダを有する２つのバンク部が互いにほぼＶ字状に結合するように形成されたＶ型エンジンのシリンダブロックにおいて、２つのバンク部の端部にこれら２つのバンク部の間に形成された谷間を閉じるように設けられると共に、クランク軸を支持する主軸受け壁の中心線から離間した位置に配置されるブロック端壁部を備え、２つのバンク部間の谷間の底部に溜まる水を外部に排出するための水抜き孔をブロック端壁部に形成したものである。
【０００６】
２つのバンク部の間に形成された谷間の底部に水が溜まると、この水はブロック端壁部の水抜き孔を介して谷間から外部へ排出される。ここで、ブロック端壁部は、主軸受け壁の中心線から離間した位置に形成されているため、主軸受け壁に加わるエンジン爆発力に起因した応力が水抜き孔に作用することが防止され、これによりシリンダブロックの強度が向上する。
【０００７】
ブロック端壁部は、シリンダヘッド固定用のヘッドボルトボスの中心線からも離間した位置に配置されていることが好ましい。
また、ヘッドボルトボスを補強するための補強用リブを、２つのバンク部間の谷間の底部を水抜き孔へと流れる水を阻害しないように配置することもできる。
【発明の効果】
【０００８】
この発明によれば、バンク部間の谷間の底部に溜まった水を排出することができると共に優れた強度を有するＶ型エンジンのシリンダブロックを実現することができる。
【発明を実施するための最良の形態】
【０００９】
以下、この発明の実施の形態を添付図面に基づいて説明する。
図１〜３を参照して、この発明の実施の形態に係るＶ型エンジンのシリンダブロックを説明する。このシリンダブロックは、図示しないクランク軸を収容するための上部クランクケース部１と、この上部クランクケース部１からその上部にＶ字状に分岐するように配置された２つのバンク部２及び３とを有している。各バンク部２及び３には、クランク軸に沿って、すなわちこのシリンダブロックの前後方向に沿って、複数のシリンダ４が直列に配置されている。また、２つのバンク部２及び３の間に形成された谷間５の底部に排水路６が形成されている。また、バンク部２及び３の後端部には、これらバンク部２及び３に共通のブロック後端壁部７がバンク部２及び３間の谷間５を閉じるように配置されており、このブロック後端壁部７に排水路６に連通する２つの水抜き孔８が貫通形成されている。
【００１０】
また、２つのバンク部２及び３の互いに対向する側面には、各バンク部２及び３の上部に図示しないシリンダヘッドを固定するための複数のヘッドボルトボス９が突出しており、各ヘッドボルトボス９の側面から谷間５の底部にかけてヘッドボルトボス９の剛性を高めるための補強用リブ１０が形成されている。各補強用リブ１０は、谷間５の底部に形成された排水路６を遮断しないように配置されている。なお、バンク２及び３間の谷間５の底部には、その内部にオイル通路が形成されたオイル通路部材１１がシリンダブロックの前後方向に沿って配置され、このオイル通路部材１１の両側に排水路６がそれぞれ配置されている。また、ブロック後端壁部７の水抜き孔８の上部には、図示しないスタータを取り付けるための円形状の取り付け孔部１２が形成されている。
【００１１】
ここで、図１におけるＡ−Ａ線に沿う断面図を図４に示す。図４に示されるように、上部クランクケース部１の内側には、図示しないクランク軸を支持するための複数の主軸受け壁１３がクランク軸の軸線方向に、すなわちシリンダブロックの前後方向に所定の間隔で配置されており、ブロック後端壁部７は、複数の主軸受け壁１３のうち最も後部に位置する主軸受け壁１３ａよりもさらに後方に位置し、この主軸受け壁１３ａの中心線Ｔから離間した位置に形成されている。また、ブロック後端壁部７は、複数のヘッドボルトボス９のうち最も後部に位置するヘッドボルトボス９ａよりもさらに後方に位置し、このヘッドボルトボス９ａの中心線Ｓからも離間した位置に形成されている。すなわち、ブロック後端壁部７は、いずれの主軸受け壁１３の中心線及びいずれのヘッドボルトボス９の中心線からも離間した位置にある。
【００１２】
次に、この発明の実施の形態に係るＶ型エンジンのシリンダブロックの作用を説明する。降雨や洗車等の際にバンク部２及び３間の谷間５の底部に水が溜まると、この水は排水路６に沿ってブロック後端壁部７の水抜き孔８へ導かれ、この水抜き孔８を介してシリンダブロック後方へ排出される。
ここで、ブロック後端壁部７は、それ自身によりシリンダブロックの強度向上に寄与するだけでなく、いずれの主軸受け壁１３の中心線からも離間した位置に形成されることにより主軸受け壁１３に加わるエンジン爆発力に起因した応力が水抜き孔８に作用することを防止でき、これにより応力集中による水抜き孔８の破断等が防止されると共に優れた強度を有するシリンダブロックを実現することができる。
【００１３】
また、このブロック後端壁部７は、いずれのヘッドボルトボス９の中心線からも離間した位置に形成されているため、図示しないシリンダヘッドをこのシリンダブロックに締結する締結力に起因した応力が水抜き孔８に作用することも防止でき、これによりシリンダブロックの強度をより向上させることができる。したがって、このシリンダブロックは、エンジン高出力化などに起因したエンジン爆発力やシリンダヘッド締結力の増大に対して強度的に有利な構造を有し、高い信頼性を確保することができる。
また、ヘッドボルトボス９の延長線上には補強用リブ１０が排水路６を遮断しないように設けられているため、排水能力を確保しながらヘッドボルトボス９及びその周辺の強度を向上させることができ、これによりシリンダブロック全体の強度がさらに向上する。
【００１４】
なお、上述の実施の形態において、水抜き孔８をブロック後端壁部７に形成したが、バンク部２及び３の前端部にブロック前端壁部が配置されている場合には、ブロック前端壁部に水抜き孔８を形成することもできる。
また、水抜き孔８の形状は、どのような形状でもよく、また、その数は１つでも３つ以上でもよい。
さらに、補強リブ１０は、排水路６を遮断しないでヘッドボルトボス９の強度を向上させることができれば、どのような形状や配置にすることもできる。
【図面の簡単な説明】
【００１５】
【図１】この発明の実施の形態に係るＶ型エンジンのシリンダブロックを示す後面図である。
【図２】実施の形態に係るシリンダブロックを示す部分平面図である。
【図３】実施の形態におけるバンク間の谷間の構造を示す断面図である。
【図４】図１のＡ−Ａ線に沿った断面図である。
【符号の説明】
【００１６】
１  上部クランクケース部、２，３  バンク部、４  シリンダ、５  谷間、６  排水路、７  ブロック後端壁部、８  水抜き孔、９，９ａ  ヘッドボルトボス、１０  補強用リブ、１１  オイル通路部材、１２  取付け孔部、１３，１３ａ  主軸受け壁、Ｓ，Ｔ  中心線。
【図１】
2006275006.tif 000003
【図２】
2006275006.tif 000004
【図３】
2006275006.tif 000005
【図４】
2006275006.tif 000006